(57)【要約】【課題】本発明は、枕カバーが容易に取り替えられるずり下がり防止枕を提供することを目的とする。【解決手段】本発明に係るずり下がり防止枕ＡＢは、袋状の側地１０と、側地１０の内部に収納された中材と、側地１０に一端が取り付けられた取付紐２０，３０とからなる枕本体Ａと、当該枕本体Ａを着脱可能に覆う枕カバーＢとからなることを特徴とする。【選択図】  図８
2018023495.tif 000002
【特許請求の範囲】
【請求項１】
袋状の側地と、側地の内部に収納された中材と、側地に一端が取り付けられた取付紐とからなる枕本体と、
当該枕本体を着脱可能に覆う枕カバーとからなる
ことを特徴とするずり下がり防止枕。
【請求項２】
前記取付紐は、前記枕本体の側地に取り付けられた一端を前記枕本体の側地に対して着脱可能に構成した
ことを特徴とする請求項１に記載のずり下がり防止枕。
【請求項３】
前記ずり下がり防止枕は、背上げ機能を有するベッドに取り付けるものであって、
前記取付紐は、その他端が自由端であって、
自由端は、ベッドにおける背上げ動作をするベッド部材に対して取付可能に構成した
ことを特徴とする請求項１又は２に記載のずり下がり防止枕。
【請求項４】
前記取付紐は二つ折りの細幅テープよりなり、
前記枕本体の側地に取り付けられた取付紐の一端は、細幅テープの二つ折り側の端部であり、
他端である自由端は、２本に分かれる第１自由端と第２自由端とを構成する
ことを特徴とする請求項１〜３のいずれか１項に記載のずり下がり防止枕。
【請求項５】
２本に分かれる第１自由端及び第２自由端は、その一方又は双方に互い結合可能な連結手段を備えた
ことを特徴とする請求項４に記載のずり下がり防止枕。
【請求項６】
前記取付紐の他端が枕カバーの外部に出るように構成した
ことを特徴とする請求項１〜５のいずれか１項に記載のずり下がり防止枕。
【請求項７】
前記枕カバーは、その上部に、取付紐の他端が枕カバーの外部に出る開閉自在な紐通し穴を備えた
ことを特徴とする請求項１〜６のいずれか１項に記載のずり下がり防止枕。
【請求項８】
前記枕カバーは、その下部に、枕本体の下部を保持する折り返し部を備えた
ことを特徴とする請求項１〜７のいずれか１項に記載のずり下がり防止枕。
【発明の詳細な説明】
【技術分野】
【０００１】
本発明は、ずり下がり防止枕に関し、特に、上半身を起こすことができる背上げ機能を有するベッドが背上げ状態（頭部を上にして上半身が傾斜した状態）になっても、枕が所定の位置からずり下がることがないずり下がり防止枕に関する。
【背景技術】
【０００２】
従来より、上半身を起こすことができる背上げ機能を有するベッドが使用され、そこで、ベッドが背上げ状態になった際に、枕がずり下がることを防止すること目的として以下のような発明がなされている。
【０００３】
特許文献１には、一端側を開口した開口部を有する袋状に形成され、内部の略中間部において、枕を収容して前記開口部側から枕が抜け出ないように保持する一対の紐が２組縫い付けられ、前記開口部側に、ピロケースをベッドの背に対応する床部に縛り付けて保持するための一対の紐が縫着されたピロケースが示されている。
【０００４】
特許文献２には、枕カバーをシーツに連結紐によって結合することで、枕カバーに保持された枕がずれ動くのを防止できる枕ずれ止め付きシーツが示されている。
【０００５】
特許文献３には、ベッドのマットに掛けられたシーツに止着されたベッド側止め帯に、筒状の枕カバーに止着された枕側止め帯を係合させることにより、当該枕カバーに枕を収納した枕を係止する方法が示されている。
【０００６】
特許文献４には、枕を包み込んだ二つ折り状態のシート上端の２枚重ねの部分をマットレスの上端に掛けまわし、ベッドの背もたれ部とマットレスとの間に挟み込んで挟持させる枕保持ユニットが示されている。
【０００７】
特許文献５には、ベッドに固定した枕保持具に枕を収納する枕保持具が示されている。
【０００８】
特許文献６には、裏面に滑り止め手段を備えたシート本体と、シート本体に取り付けた枕保持紐との間の隙間に枕を保持する枕保持シートが示されている。
【先行技術文献】
【特許文献】
【０００９】
【特許文献１】特開平９−１２１９９９号公報
【特許文献２】特開平１１−１２８０４４号公報
【特許文献３】特開２００４−９７２４２号公報
【特許文献４】実用新案登録第３１４４７２８号公報
【特許文献５】実用新案登録第３２０３５０４号公報
【特許文献６】実用新案登録第３１４４９８４号公報
【発明の概要】
【発明が解決しようとする課題】
【００１０】
しかしながら、上記特許文献１〜５に記載のものは全て、枕を収納あるいは被覆する枕カバーをベッドやシーツに着脱可能に固定することにより枕を固定するものであるから、頻繁に取り替える必要がある枕カバーを取り替える度に枕カバーから枕を取り出し及び収納する作業を行う必要があるため、かなりの手間を要するものであり、枕カバーの取り替え作業を迅速に行うことができないものであった。
【００１１】
また、特許文献６に記載のものは、枕をシート等に固定するものであるが、枕カバーについての記載はなく、その取り替えについては考慮されていない。
【００１２】
そこで、本発明者は、鋭意研究を重ね、枕カバーが容易に取り替えられるずり下がり防止枕を開発した。
【課題を解決するための手段】
【００１３】
本発明の請求項１に係るずり下がり防止枕は、袋状の側地と、側地の内部に収納された中材と、側地に一端が取り付けられた取付紐とからなる枕本体と、当該枕本体を着脱可能に覆う枕カバーとからなることを特徴とするものである。
【００１４】
本発明の請求項２に係るずり下がり防止枕は、前記請求項１に記載のずり下がり防止枕の構成に加え、前記取付紐は、前記枕本体の側地に取り付けられた一端を前記枕本体の側地に対して着脱可能に構成したことを特徴とするものである。
【００１５】
本発明の請求項３に係るずり下がり防止枕は、前記請求項１又は２に記載のずり下がり防止枕の構成に加え、前記ずり下がり防止枕は、背上げ機能を有するベッドに取り付けるものであって、前記取付紐は、その他端が自由端であって、自由端は、ベッドにおける背上げ動作をするベッド部材に対して取付可能に構成したことを特徴とするものである。
【００１６】
本発明の請求項４に係るずり下がり防止枕は、前記請求項１〜３のいずれか１項に記載のずり下がり防止枕の構成に加え、前記取付紐は二つ折りの細幅テープよりなり、前記枕本体の側地に取り付けられた取付紐の一端は、細幅テープの二つ折り側の端部であり、他端である自由端は、２本に分かれる第１自由端と第２自由端とを構成することを特徴とするものである。
【００１７】
本発明の請求項５に係るずり下がり防止枕は、前記請求項４に記載のずり下がり防止枕の構成に加え、２本に分かれる第１自由端及び第２自由端は、その一方又は双方に互い結合可能な連結手段を備えたことを特徴とするものである。
【００１８】
本発明の請求項６に係るずり下がり防止枕は、前記請求項１〜５のいずれか１項に記載のずり下がり防止枕に加え、前記取付紐の他端が枕カバーの外部に出るように構成したことを特徴とするものである。
【００１９】
本発明の請求項７に係るずり下がり防止枕は、前記請求項１〜６のいずれか１項に記載のずり下がり防止枕に加え、前記枕カバーは、その上部に、取付紐の他端が枕カバーの外部に出る開閉自在な紐通し穴を備えたことを特徴とするものである。
【００２０】
本発明の請求項８に係るずり下がり防止枕は、前記請求項１〜７のいずれか１項に記載のずり下がり防止枕に加え、前記枕カバーは、その下部に、枕本体の下部を保持する折り返し部を備えたことを特徴とするものである。
【発明の効果】
【００２１】
上記のようにずり下がり防止枕を構成したことにより、枕本体を取付紐により背上げ動作をするベッド部材に着脱可能に取り付けることができ、枕カバーを枕本体に着脱可能に取り付けることができるため、枕本体をベッドから取り外すことなく枕カバーのみを容易に取り外すことができるので、枕カバーの取り替え作業の手間が軽減し、迅速に枕カバーを取り替えることができる。
【図面の簡単な説明】
【００２２】
【図１】本発明の実施例１に係るずり下がり防止枕における枕本体の概略斜視図である。
【図２】本発明の実施例１に係るずり下がり防止枕における枕カバーの概略平面図である。
【図３】本発明の実施例１に係るずり下がり防止枕における枕本体の取付紐の自由端に取り付けた連結具の斜視図である。
【図４】本発明の実施例１に係るずり下がり防止枕における枕本体をベッドに装着した状態を前面側から見た概略斜視図である。
【図５】本発明の実施例１に係るずり下がり防止枕における枕本体をベッドに装着した状態を側面側から見た概略斜視図である。
【図６】本発明の実施例１に係るずり下がり防止枕における枕本体をベッドに装着した状態を背面側から見た概略斜視図である。
【図７】本発明の実施例１に係るずり下がり防止枕における枕本体をベッドに装着して枕カバーを取り付けた状態を前面側から見た概略斜視図である。
【図８】本発明の実施例１に係るずり下がり防止枕における枕本体をベッドに装着して枕カバーを取り付けた状態の概略断面図である。
【図９】本発明の枕カバーの変更例を示す概略平面図である。
【発明を実施するための形態】
【００２３】
以下、本発明に係るずり下がり防止枕の好適な実施例について、添付の図面に基づき詳細に説明する。
【実施例１】
【００２４】
図１に示すＡは枕本体を示し、図２に示すＢは枕カバーを示し、枕本体Ａを枕カバーＢで覆うことにより、ずり下がり防止枕ＡＢが構成される。
【００２５】
枕本体Ａは、側地１０と中材１１と取付紐２０，３０とから構成される。側地１０は袋状に形成されており、その内部に中材１１が収納されて枕Ａ１が形成される。この側地１０や中材１１は一般に使用されている枕の材質及び構成を使用する。
【００２６】
取付紐２０，３０は、それぞの一端２１，３１が枕Ａ１の長手側の端部に適宜間隔をあけて取り付けられている。枕Ａ１への取付紐２０，３０の一端２１，３１を取付ける方法は、縫着等により固定してもよく、適宜の連結具、例えば側地にループ紐を取り付け、取付紐の一端にフックを取り付ける等、を使用して枕Ａ１に対して着脱可能に構成してもよい。
【００２７】
ずり下がり防止枕ＡＢは、背上げ機能を有するベッドＰに取り付けるものであって、取付紐２０，３０の他端２２，３２である自由端２２，３２は、ベッドＰにおける背上げ動作をするベッド部材、後述する床板ｐ１に対して取付可能に構成されている。
【００２８】
本実施例における取付紐２０，３０は、それぞれ二つ折りの細幅テープにより構成される。枕本体Ａの側地１０に取り付けられた取付紐２０，３０の一端２１，３１は、細幅テープを二つに折った折り返し側の端部であり、他端である自由端２２，３２は、第１自由端２２ａ，３２ａと第２自由端２２ｂ，３２ｂとの２本に分かれる端部である。この２本に分かれる第１自由端２２ａ，３２ａ及び第２自由端２２ｂ，３２ｂには、それぞれ連結具２３，３３が備えられている。
【００２９】
連結具２３，３３は、図３に示すように、第１自由端２２ａ，３２ａに取り付けた雄部材２３ａ，３３ａと第２自由端２２ｂ，３２ｂに取り付けた雌部材２３ｂ，３３ｂとからなる差込型連結具である。また、雄部材２３ａ，３３ａは長さ調整が可能であるため、第１自由端２２ａ，３２ａには延長部２０ａ，３０ａが設けられている。
【００３０】
なお、本実施例においては、取付紐２０，３０としてそれぞれ二つ折りの細幅テープを採用したが、これに限られるものではなく、取付紐として複数本の紐、通常は２本の紐を一組とし、それぞれの一端を枕の側地に取り付けて、他端に連結具を備えるようにしてもよい。
【００３１】
また、連結具２３，３３は前記の構成のものに限られるものではなく、素早く容易に着脱し得るものであればよい。また、連結具２３，３３を設けずに第１自由端２２ａと第２自由端２２ｂ、第１自由端３２ａと第２自由端３２ｂをそれぞれ結ぶようにしてもよい。
【００３２】
図４〜図６は、枕本体ＡをベッドＰに取り付けた状態を示す。ベッドＰは、背上げ機能を有するベッド本体Ｐ１とベッド本体Ｐ１上に載置されたマットレスＰ２とマットレスＰ２を覆うベッドパッドＰ３とから構成される。ベッド本体Ｐ１の上部側の床板ｐ１は、通気性を持たせ、かつ、軽量にするために適当数の貫通穴Ｏが随所に形成されている。
【００３３】
そして、図４に示すように、取付紐２０，３０を上方にして、ベッドＰの適宜の位置に枕Ａ１を載置し、図５及び図６に示すように、取付紐２０，３０の第２自由端２２ｂ，３２ｂをベッドＰの上端からベッド本体Ｐ１の背面側に垂らし、第１自由端２２ａ，３２ａをマットレスＰ２の上端からマットレスＰ２とベッド本体Ｐ１の床板ｐ１との間に挿入して、貫通穴Ｏから第１自由端２２ａの雄部材２３ａと第１自由端３２ａの雄部材３３ａとを引き出す。なお、予め、第１自由端２２ａ，３２ａの雄部材２３ａ，３３ａをそれぞれ延長部２０ａ，３０ａ側に寄せておき、前記の作業を行い易くする。そして、第１自由端２２ａの雄部材２３ａと第２自由端２２ｂの雌部材２３ｂを連結し、また、同様に第１自由端３２ａの雄部材３３ａと第２自由端３２ｂの雌部材３３ｂを連結する。その後、延長部２０ａ，３０ａを引っ張って第１自由端２２ａ，３２ａの緩みをなくすことにより枕本体ＡをベッドＰに固定する。その際、取付紐２０，３０の長さを調整することにより、枕Ａ１の位置を調整することが可能である。
【００３４】
上記のようにしてベッドＰに固定した枕本体Ａに図２に示す枕カバーＢを取り付ける。
【００３５】
図２に示すように、枕カバーＢは、その上端２個所、すなわち枕本体Ａにおける取付紐２０，３０に対応する位置に開閉自在な紐通し穴５０，６０が設けられている。紐通し穴５０，６０の開閉具としては、雌側のスナップ５０ａ，６０ａ及び雄側のスナップ５０ｂ，６０ｂを使用し、雌側のスナップ５０ａ，６０ａと雄側のスナップ５０ｂ，６０ｂとを着脱することにより紐通し穴５０，６０が開閉される。なお、開閉具は上記のスナップに限られるものではなく、フックとループとの組合せや面ファスナー等で行ってもよい。
【００３６】
上記のように枕カバーＢを構成したことにより、枕カバーＢの紐通し穴５０，６０を開いて枕本体Ａの取付紐２０，３０を挿入し、紐通し穴５０，６０を閉じれば、図７及び図８に示すように、取付紐２０，３０の他端２２，３２が枕カバーＢの外部に出た状態で、枕本体Ａに枕カバーＢを取り付けることができる。枕本体Ａから枕カバーＢを取り外す際には、枕カバーＢの紐通し穴５０，６０を開いて枕本体Ａの取付紐２０，３０を外すだけでよい。
【００３７】
なお、本実施例においては、枕カバーＢに開閉自在の紐通し穴５０，６０を設け、また、後述する変更例においては、貫通穴よりなる紐通し穴５０１，６０１を設けているが、このような紐通し穴を設けずに、枕の側地の表面と枕カバーの裏面とに面ファスナーを取り付けて、両者を着脱自在に接着し得るように構成してもよい。
【００３８】
また、枕カバーＢは、その下部を延長した折り返し部７０が形成されている。そして、枕カバーＢの左右両側部において、折り返し部７０の位置にループ紐７１ａ，７１ｂが縫着されており、折り返し部７０の少し上方に、ループ紐７１ａ，７１ｂに挿通できるボタン７２ａ，７２ｂが縫着されている。
【００３９】
上記のように枕カバーＢを構成したことにより、枕本体Ａに枕カバーＢを取り付けた後、折り返し部７０を枕本体Ａの背面側に折り返してループ紐７１ａ，７１ｂにボタン７２ａ，７２ｂを挿通させて連結すれば袋状となるので、当該折り返し部７０により枕本体Ａを保持される。
【００４０】
なお、折り返し部を折り返して袋状にするための方法としては、上記のループ紐及びボタンに限られるものではなく、また、ループ紐の位置とボタンの位置とを逆にしてもよい。また、折り返し部７０は必ずしも設けなくてもよい。
【００４１】
以上のように、実施例１におけるずり下がり防止枕ＡＢは、枕本体Ａを取付紐２０，３０により背上げ動作をするベッド部材である上部の床板ｐ１に着脱可能に取り付けることができ、枕カバーＢを枕本体Ａに着脱可能に取り付けることができるため、枕本体ＡをベッドＰから取り外すことなく枕カバーＢのみを容易に取り外すことができるので、枕カバーＢの取り替え作業の手間が軽減し、迅速に枕カバーＢを取り替えることができる。
【００４２】
［枕カバーの変更例］
図９は、枕カバーの変更例であり、上記実施例１における枕カバーＢとの相違は、実施例１においては、枕カバーＢを、取付紐２０，３０を挿通する紐通し穴５０，６０を開閉自在としたものであるが、変更例における枕カバーＢ１は、その上端２個所、すなわち枕本体Ａにおける取付紐２０，３０に対応する位置に、開閉しない単なる貫通穴よりなる紐通し穴５０１，６０１が設けられ、取付紐２０，３０が枕カバーＢ１の外部に出るようにしたものである。それ以外の構成は、実施例１と同様であるので説明を省略する。
【００４３】
上記の変更例における枕カバーＢ１は、枕本体Ａから枕カバーＢ１を取り外すのに若干の手間を要するものであるが、枕本体Ａから枕カバーＢ１が外れるおそれがない利点があり、製造コストを下げ得る利点がある。
【００４４】
以上、本発明の実施形態を説明したが、この実施形態は、例として提示したものであり、発明の範囲を限定することは意図していない。この実施形態は、その他の様々な形態で実施されることが可能であり、発明の要旨を逸脱しない範囲で、種々の省略、置き換え、変更を行うことができる。この実施形態やその変形は、発明の範囲や要旨に含まれると同様に、特許請求の範囲に記載された発明とその均等の範囲に含まれるものである。
【符号の説明】
【００４５】
ＡＢ・・ずり下がり防止枕
Ａ・・・枕本体
Ａ１・・枕
１０・・側地
１１・・中材
２０・・取付紐
３０・・取付紐
２１・・取付紐の一端
３１・・取付紐の一端
２２・・取付紐の他端（自由端）
３２・・取付紐の他端（自由端）
２２ａ・第１自由端
２２ｂ・第２自由端
３２ａ・第１自由端
３２ｂ・第２自由端
２３・・連結具
３３・・連結具
２３ａ・連結具の雄部材
３３ａ・連結具の雄部材
２３ｂ・連結具の雌部材
３３ｂ・連結具の雌部材
２０ａ・延長部
３０ａ・延長部
Ｐ・・・ベッド
Ｐ１・・ベッド本体
Ｐ２・・マットレス
Ｐ３・・ベッドパッド
ｐ１・・床板（ベッド部材）
Ｏ・・・貫通穴
Ｂ・・・枕カバー
５０・・紐通し穴
６０・・紐通し穴
５０ａ・雌側のスナップ
６０ａ・雌側のスナップ
５０ｂ・雄側のスナップ
６０ｂ・雄側のスナップ
７０・・折り返し部
７１ａ・ループ紐
７１ｂ・ループ紐
７２ａ・ボタン
７２ｂ・ボタン
Ｂ１・・枕カバー
５０１・紐通し穴
６０１・紐通し穴
【図１】
2018023495.tif 000003
【図２】
2018023495.tif 000004
【図３】
2018023495.tif 000005
【図４】
2018023495.tif 000006
【図５】
2018023495.tif 000007
【図６】
2018023495.tif 000008
【図７】
2018023495.tif 000009
【図８】
2018023495.tif 000010
【図９】
2018023495.tif 000011